(57)【要約】【課題】サポートパイプの取り外し時に簡易な方法で安全確実にサポートパイプを取り外すことのできるサポートパイプ支持装置を提供する。【解決手段】図示しないサポートパイプの下端に挿入される円筒状の外筒部５と、下端に傾斜した上底面６ｅを有する切り欠き６ｂを有する受け筒部６とからなる上部材１と、外筒部５の内側に嵌合可能な内筒部７と、その周囲であって、切り欠き６ｂの対応位置に配設され、逆方向の傾斜のついた上端面８ａを有する壁状部８を有する下部材２と、上記受け筒部６の内側に嵌合し、かつ上記内筒部７の外側に嵌合可能な円筒部１０と、その外周面より突出して、上記上底面６ｅと上端面８ａの傾斜面と同一角度の傾斜面を上下面に有する楔部１１とレバー部１１ａとを有する中間部材３とを備える。【選択図】図１
2008106516.tif 000002
【特許請求の範囲】
【請求項１】
サポートパイプの内側に挿入可能な外筒部と、該外筒部の下端部外面に一体的に形成されて、上端面にサポートパイプの下端の受け座を有し、下端に、傾斜した上底面を有する切り欠きを有する受け筒部とを備えた上部材と、
上記外筒部の内側に嵌合可能な内筒部と、該内筒部の周囲で、上記受け筒部の切り欠きに対応する位置に設けられ、上記上底面とは逆方向の傾斜のついた上端面を有する壁状部と、上記内筒および上記壁状部の基部を固定するベースとからなる下部材と、
上記受け筒部の内側に嵌合し、かつ上記内筒部の外側に嵌合可能で、周方向および軸方向に摺動可能に設けられた円筒部と、該円筒部の外周面より突出して、上記受け筒部の上底面と内筒部の上端面とに当接可能で、上記上底面と上端面の傾斜面と同一角度の傾斜面を上下面に有する楔部と、上記円筒部の外周面より突出するレバー部とを有する中間部材とを備え、
上記レバー部によって中間部材を回動させることにより、上記上部材の受け座を上下動可能とした
ことを特徴とするサポートパイプの支持装置。
【請求項２】
上記上部材の外筒部と上記下部材の内筒部とには、上記サポートパイプを貫通したボルトを挿通するための孔が形成されているとともに、上記上部材の受け筒部と上記下部材の内筒部と上記中間部材の円筒部とには、共通のボルト用の孔が形成されている、請求項１に記載のサポートパイプの支持装置。
【発明の詳細な説明】
【技術分野】
【０００１】
本発明は、建設工事等において天井材等を下から支える仮設のサポートパイプを支持するとともに、工事終了後にサポートパイプを取り外しやすくするサポートパイプの支持装置に関する。
【背景技術】
【０００２】
従来、建設工事等で天井材を設置する際、工期の一定期間だけそれら天井を構成するコンクリート流し込み枠などを下から支えるサポートパイプを仮設し、工事終了後にサポートパイプを取り外す工法がある。
【０００３】
上記サポートパイプには、工事が終わって取り外す際に使用するパイプ伸縮機構を備えているものが知られている。これは、サポートパイプの上端側の一部を二重管にする等によりこの部分を伸縮調整可能としたもので、サポートパイプの取り外しの際、ハンドルを回す等の操作により、パイプに軸圧縮荷重がかからなくなるまで上記二重管の部分を縮めるためのものである。
【０００４】
また、特許文献１に示されるように、上部サポートパイプを下部サポートパイプに上下動可能に挿通して固定手段により固定され所定長さに形成されるパイプサポートが用いられているものが知られている。
【特許文献１】特開平１１−２４７４３６
【発明の開示】
【発明が解決しようとする課題】
【０００５】
しかしながら、実際の工事においては上記パイプ調整機構がうまく機能しないことがある。すなわち、天井材等から受ける軸圧縮荷重が大きかったり、上記パイプ調整機構自体に不具合が生じたりすることで、うまく伸縮作動できなくなってしまう事態が生じる。同様に、特許文献１に記載の技術も、上記軸圧縮荷重のために固定手段が外せなくなるという問題がある。
【０００６】
このため、サポートパイプの取り外しがスムーズにできず、工事に遅れを生じさせることがあった。
【０００７】
本発明は、上記問題点に鑑みなされたもので、サポートパイプの取り外し時に簡易な方法で軸圧縮荷重を除去することができ、安全確実にサポートパイプを取り外すことのできるサポートパイプ支持装置を提供することを課題とする。
【課題を解決するための手段】
【０００８】
上記課題を解決するため、請求項１に係る発明は、サポートパイプの内側に挿入可能な外筒部と、該外筒部の下端部外面に一体的に形成されて、上端面にサポートパイプの下端の受け座を有し、下端に、傾斜した上底面を有する切り欠きを有する受け筒部とを備えた上部材と、上記外筒部の内側に嵌合可能な内筒部と、該内筒部の周囲で、上記受け筒部の切り欠きに対応する位置に設けられ、上記上底面とは逆方向の傾斜のついた上面を有する壁状部と、上記内筒および上記壁状部の基部を固定するベースとからなる下部材と、上記受け筒部の内側に嵌合し、かつ上記内筒部の外側に嵌合可能で、周方向および軸方向に摺動可能に設けられた円筒部と、該円筒部の外周面より突出して、上記受け筒部の上底面と内筒部の上端面とに当接可能で、上記上底面と上端面の傾斜面と同一角度の傾斜面を上下面に有する楔部と、上記円筒部の外周面より突出するレバー部とを有する中間部材とを備え、上記レバー部によって中間部材を回動させることにより、上記上部材の受け座を上下動可能としたことを特徴とする。
【０００９】
請求項２に係る発明は、請求項１において、上記上部材の外筒部と上記下部材の内筒部とには、上記サポートパイプを貫通したボルトを挿通するための孔が形成されているとともに、上記上部材の受け筒部と上記下部材の内筒部と上記中間部材の円筒部とには、共通のボルト用の孔が形成されていることを特徴とする。
【発明の効果】
【００１０】
請求項１の発明によれば、中間部材を回動させることにより、その楔部は上部材の切欠き部と下部材の壁状部との間を周方向に移動することができ、一方の移動端では上部材の下部材からの高さが最も高くなり、他方の移動端では最も低くなる。そこで、上記楔部を上記一方の移動端に移動させておき、上部材の受け座にサポートパイプの下端を受けさせる。この状態で上記サポートパイプで天井材等を支持させて固定する。工事終了後は、レバー部をハンマー等でたたいて中間部材を回動させて上記楔部を他方の移動端に移動させる。これにより、上部材の高さが低くなるから、サポートパイプも低くなり、その上端と天井材等との間には隙間が生じ、サポートパイプにかかる軸圧縮荷重が取り除かれる。したがって、サポートパイプの取り外しを簡易かつ安全に、しかも短時間に行えるサポートパイプ支持装置を提供することができる。
【００１１】
請求項２の発明によれば、請求項１において、上記上部材の外筒部と上記下部材の内筒部の孔にサポートパイプを貫通したボルトを挿通することにより、サポートパイプが支持装置に安定して支持される。
【００１２】
また、上部材の受け筒部と下部材の内筒部と中間部材の円筒部とに形成された孔にボルトを挿通して上記３部材を固定することができるから、例えば工事の途中で中間部材が回動するという不都合を未然に回避することができる。
【発明を実施するための最良の形態】
【００１３】
以下に、本発明の実施形態を図面に基づいて説明する。図１は、本実施形態に係るサポートパイプ支持装置の概略構成を示す分解斜視図である。
【００１４】
図２は、本実施形態に係るサポートパイプ支持装置の組立図であり、（ａ）はサポートパイプを支持している状態の正面図及びＡ−Ａ断面図、（ｂ）はサポートパイプを下降させた状態の正面図及び平面図を示す。
【００１５】
図１で符号１は上部材を、符号２は下部材を、符号３は中間部材を各々示す。
【００１６】
（構成）
まず、上部材１の構成について説明する。上部材１は、上部のサポートパイプ４への外筒部５と、下部の受け筒部６からなっており、外筒部５、受け筒部６は一体もので削り出しで加工され、外筒部５の外径は受け筒部６の内径と略等しく、両者は外筒部５の下端外周部にて連続している。
【００１７】
外筒部５の外周にはサポートパイプ４との図示しない接合ボルト用の孔５ａが９０°毎に４カ所設けられている。
【００１８】
受け筒部６は、上端面がサポートパイプ４の下端面の受け座６ａとなっており、下端部には４箇所の切り欠き６ｂを有している。切り欠き６ｂは両端の垂直面６ｄと中央の上底面６ｅからなり、底部は受け筒部６の軸方向に対して垂直な面（水平面）から傾いている。この傾きは１０°程度でよい。４カ所の切り欠き６ｂとも上記底部は同じ方向の傾きを持っており（図１で左側が高くなっている）、また、切り欠き６ｂは円周上に９０°ピッチで配設されているため、上部材１は円周方向に９０°回転させることで同形状となり、組み立てが容易となっている。
【００１９】
受け筒部６の下部側面には、上記切り欠き６ｂと交互に受け座が設けられ、該受け座に回転防止ボルト１２用のボルト孔６ｃが９０°ピッチで４カ所螺設されている。
【００２０】
次に、下部材２の構成について説明する。下部材２は、４カ所の床面への取付けボルト用孔９ａを備えるベース９の中央に内筒部７とその周囲に配設された壁状部８とを溶接にて取りつけたものである。
【００２１】
内筒部７は、上記上部材１の外筒部５の内径より稍小さい外径を有する円筒状部材であり、内筒部７の外周部には９０°ピッチで４カ所に軸方向に伸びた長孔７ａが設けられている。これらの長孔７ａは、上記接合ボルト及び回転防止ボルト１２の双方に共通の貫通孔である。
【００２２】
内筒部７の周囲に配設された壁状部８は、上記受け筒部６の円筒部材から加工された受け筒部６と同一の曲率半径を有する部材であって、４つの壁状部８は、ベース９において受け筒部６を内筒部７と同心に配置した際の受け筒部６の投影面上に配設されている。
【００２３】
壁状部８の上端面は、各々受け筒部６の切り欠き６ｂの上底面６ｅとは逆方向に水平から約１０°の傾きを有している。
【００２４】
次に、中間部材３の構成について説明する。中間部材３は、円筒部１０と、その外周の４方から延出された楔部１１からなっている。
【００２５】
円筒部１０の外径は、上記受け筒部６の内径より稍小さく、内径は、上記内筒部７の外径より稍大きく構成されており、周囲に回転防止ボルト１２用のボルト孔１０ａが９０°ピッチで４カ所設けられている。
【００２６】
楔部１１は円周方向１８０°ピッチで２箇所に設けられており、楔部１１と９０°ピッチでレバー部１１ａが形成されている。
【００２７】
各楔部１１の上面は、上記受け筒部６の切り欠き６ｂの上底面６ｅと、楔部１１の下面は、上記壁状部８の上端面８ａと、各々同一方向の傾き（水平から１０°及び−１０°）を有する傾斜面となっている。
【００２８】
（機能・作用）
次に、上記構成のサポートパイプ支持装置の使用方法について説明する。はじめに、サポートパイプ４を支持装置に取り付ける手順について説明する。
【００２９】
まず、サポートパイプ４の設置位置の床面（地面でもよい）に、上記下部材２のベース９のボルト用孔９ａから取付けボルト（図示せず）を挿通して固定する。
【００３０】
次に、図１および図２（ａ）（ｂ）に示されるように、中間部材３の円筒部１０を上部材１の受け筒部６の下部に嵌合し、回転防止ボルト１２用の貫通孔１０ａとネジ孔６ｃとの位置を合わせて４本の回転防止ボルト１２にて中間部材３と上部材１とを仮止めする。この際、回転防止ボルト１２の先端が円筒部１０の内壁からでないようにする。
【００３１】
次に、仮止めされた上部材１と中間部材３を持ち上げて、床に固定された下部材２の内筒部７に中間部材３の円筒部１０をあてがい、遊嵌させて、各楔部１１を切り欠き６ｂの上底面６ｅと壁上部材８の上端面８ａの間隔が最も狭い図２（ａ）の右端に配置させる。この状態で、上記回転防止ボルト１２をさらにねじ込むことにより、その先端を内筒部７の長孔７ａに挿入して上部材１と中間部材３を下部材２に固定する。これにより、中間部材３は回転できないようになる。
【００３２】
最後に、サポートパイプ４の下端を上部材１の外筒部５にあてがい、サポートパイプ４の下端面が受け筒部６の上端面の受け座６ａの当接するまで差し込み、外筒部５の孔５ａ及び内筒部７の長孔７ａとサポートパイプ４に設けられたネジ孔（図示せず）の位置を合わせ、１本の接合ボルト１３をサポートパイプ４を貫通させてサポートパイプ４と上部材１及び下部材２とを固定する。この際、接合ボルト１３の軸部上端は、上記長孔７ａの上端部にほぼ接している。
【００３３】
このようにしてサポートパイプ４の下端を支持装置に固定した後に、図示しない既存の調整装置によりサポートパイプ４の上端の伸縮調整を行って例えば天井工事でコンクリートの流し込み枠の下面を支持する。
【００３４】
次に、上記手順にて取り付けられ、天井工事が終了した後、流し込み枠を支持していたサポートパイプ４を、流し込み枠から取り外す方法について説明する。
【００３５】
まず、接合ボルト１３を外した後、図２（ａ）に示す４本の回転防止ボルト１２を緩めて外す。次に、図２（ｂ）に示すように、レバー部１１ａの１本を矢印Ｃの方向にハンマー等で打撃することにより、中間部材３を図で時計回りに回転させ、各楔部１１を切り欠き６ｂ上底面６ｅと壁上部材８の上端面８ａの間隔の広い左側へ移動させる。すると、図４に示すように、楔部１１に接触していた切り欠き６ｂの上底面６ｅは、δだけ降下するが、円周の９０°ピッチの４方向で同じように切り欠き６ｂ底面がδだけ降下するため、全体として上部材１がサポートパイプ４とともにδだけ降下する。これにより、サポートパイプ４には軸荷重がかからない状態となるため、既存のサポートパイプ伸縮装置のある場合は、さらにサポートパイプ４の寸法を縮めた後に、上記接合ボルトを取り外して支持装置からサポートパイプ４を取り外す。
【００３６】
なお、レバー部１１ａの上下面に楔部１１と同様の傾斜を有してサポートパイプ４の軸荷重を支持させる構成としてもよい。
【００３７】
（効果）
上記接合ボルト１３は、サポートパイプ４に明けた貫通孔と、上部材１の外筒部５の孔５ａおよび下部材２の内筒部７の長孔７ａとを貫通するボルトであって、サポートパイプ４と支持装置とを固定するためのものである。すなわち、サポートパイプ４は、下端面が上部材１の受け座６ａにより下方への移動を規制され、上記接合ボルト１３により内筒部７の長孔７ａの上端で上方への移動と回転を規制されるため、支持装置に安定して支持される。
【００３８】
これにより、サポートパイプ４で支持されている天井部分が、接触している前後左右の天井部分の干渉等によって、横方向や上方向に力を受けた場合でもサポートパイプ４が外筒部５から抜け出したりすることがない。
【００３９】
また、上記回転防止ボルト１２は、サポートパイプ４の軸荷重により、中間部材３の楔部１１が回転して図２（ｂ）で左側にスライドし、上部材１及びそれに固定されたサポートパイプ４が降下してしまうのを防止するためのものである。
【００４０】
回転防止ボルト１２により、上部材１のボルト孔６ｃが円筒部１０のボルト孔１０ａとともに内筒部７の長孔７ａに回転方向で固定されるため、例えば工事の途中で中間部材が回動するという不都合を未然に回避することができ、楔部１１の上記スライドは防止される。
【００４１】
以上説明したように上記構成のサポートパイプ支持装置により、通常軸方向の圧縮荷重により支持装置に押しつけられ、簡単には天井材等から取り外せない状態になっているサポートパイプを簡単にしかも安全に取り外すことができる。
【図面の簡単な説明】
【００４２】
【図１】本実施形態に係るサポートパイプ支持装置の概略構成を示す分解斜視図である。
【図２】（ａ）は本実施形態に係るサポートパイプ支持装置のサポートパイプを支持している状態の正面図であり、同図（ｂ）は（ａ）のＡ−Ａ線断面図を示す。
【図３】（ａ）はサポートパイプを下降させた状態の正面図であり、同図（ｂ）は（ａ）のＢ−Ｂ線断面図を示す。
【図４】楔部の回転と受け筒部の降下との関係を示す説明図である。
【符号の説明】
【００４３】
１    上部材
２    下部材
３    中間部材
４    サポートパイプ
５    外筒部
６    受け筒部
６ａ    受け座
６ｂ    切り欠き
７    内筒部
８    壁状部
１１    楔部
１１ａ    レバー部
【図１】
2008106516.tif 000003
【図２】
2008106516.tif 000004
【図３】
2008106516.tif 000005
【図４】
2008106516.tif 000006